【手続補正書】
【提出日】令和2年1月14日(2020.1.14)
【手続補正１】
【補正対象書類名】特許請求の範囲
【補正対象項目名】全文
【補正方法】変更
【補正の内容】
【特許請求の範囲】
【請求項１】
内腔を有する管状本体内で使用するための医療デバイスであって、
複数のストラットを形成するフレーム構造であって、同フレーム構造は、低減されたプロファイルと前記フレーム構造の直径が増大する拡張されたプロファイルとの間で移動可能である、フレーム構造と、
同フレーム構造を形成する前記複数のストラットのうちの少なくとも１つが、支持材料上に導電性材料を含み、同導電性材料が前記ストラットの少なくとも一部分に沿って延びるとともに非導電性材料で覆われており、
前記ストラットの前記部分上の前記非導電性材料の開口部によって形成される少なくとも１つの電極であって、同少なくとも１つの電極は、前記フレーム構造が前記低減されたプロファイルと前記拡張されたプロファイルとの間を移動中に前記少なくとも１つの電極の完全性が影響を受けないように、接合ストラット間の交差部に配置される、少なくとも１つの電極と、
前記フレーム構造の端部に位置し、前記フレーム構造から離間するように延びる、リード線であって、前記導電性部分は前記ストラットに沿って延びて前記リード線と電気的に連結されるリード線とを備えることを特徴とする医療デバイス。
【請求項２】
前記医療デバイスを外部デバイスに電気的に連結するように構成されたコネクタブロックをさらに備え、前記リード線は、前記フレーム構造から前記コネクタブロックまで延びることを特徴とする請求項１に記載の医療デバイス。
【請求項３】
前記少なくとも１つの電極が、前記ストラットの隣接領域よりも大きな表面積を含むことを特徴とする請求項１に記載の医療デバイス。
【請求項４】
前記少なくとも１つの電極が複数の電極を含むことを特徴とする請求項１に記載の医療デバイス。
【請求項５】
前記複数の電極は、前記フレーム構造上に線形パターン、正弦曲線パターン、および円周パターンからなる群から選択されるパターンで整列していることを特徴とする請求項４に記載の医療デバイス。
【請求項６】
前記複数の電極は、各接続ストラットの各交差部に配置されていることを特徴とする請求項４に記載の医療デバイス。
【請求項７】
少なくとも第２のストラットよりも大きな幅または厚みを有する支持材料を有する少なくとも１つの補強ストラットをさらに備えることを特徴とする請求項１に記載の医療デバイス。
【請求項８】
前記補強ストラットが、前記フレーム構造の長さに沿って延びることを特徴とする請求項７に記載の医療デバイス。
【請求項９】
前記少なくとも１つのストラットが第１のストラットを含み、前記フレーム構造を形成する第２のストラットをさらに含み、前記第２のストラットが、支持材料上の導電性材料を含み、同導電性材料が、前記第２のストラットの少なくとも一部分に沿って延びるとともに非導電性材料で覆われており、前記第１のストラットの前記導電性材料は、前記第２のストラットの前記導電性材料から電気的に絶縁されており、前記第２のストラットの前記導電性材料は前記ストラットに沿って延びて前記リード線に電気的に連結しており、
前記医療デバイスが前記第２のストラットの前記部分上の前記非導電性材料の開口部によって形成される少なくとも１つの第２の電極を備えることを特徴とする請求項１に記載の医療デバイス。
【請求項１０】
前記フレーム構造が、管状またはＣ字状にあることを特徴とする請求項１に記載の医療デバイス。
【請求項１１】
移植中の血管穿刺の危険性を低減するために、前記デバイスの先端に連結される非外傷性緩衝器を含むことを特徴とする請求項１に記載の医療デバイス。
【請求項１２】
前記フレーム構造に直接取り付けられる電子機器アセンブリをさらに備えることを特徴とする請求項１に記載の医療デバイス。
【請求項１３】
前記電子機器アセンブリは、（ａ）神経組織刺激回路および（ｂ）神経活動記録回路のうちの少なくともいずれか一方を含み、
前記神経組織刺激回路は、
（ｉ）電流および電圧のうちの少なくともいずれか一方の源と、
（ｉｉ）バッテリーおよびコンデンサのうちの少なくともいずれか一方、または充電およびエネルギー貯蔵のうちの少なくともいずれか一方の要素と、
（ｉｉｉ）スイッチマトリクスとのうちの１つ以上を含み、
前記神経活動記録回路は、
（ｉ）増幅器と、
（ｉｉ）電源と、
（ｉｉｉ）スイッチマトリックスとのうちの１つ以上を含むことを特徴とする請求項１２に記載の医療デバイス。
【請求項１４】
隣接するストラット間のクロスリンクは、前記電極と前記管状本体との間の並置を強化するために、前記電極が位置する頂点で終端することを特徴とする請求項1に記載の医療デバイス。
【請求項１５】
請求項１に記載の前記医療デバイスと通信するように構成される制御部とをさらに備え、同制御部が、
（ｉ）前記デバイスの近位の媒体の活動を表すデータを前記デバイスから受信し、
（ｉｉ）制御信号を生成し、
（ｉｉｉ）同制御信号を前記デバイスに送信する
ように構成されることを特徴とする請求項１に記載の医療デバイス。
【請求項１６】
前記医療デバイスが、
血管への挿入のための折り畳まれた使用状態と、前記血管の壁に対して弾性的に支持される拡張された使用状態との間で移動可能なステントと、
同ステント上の１つ以上の電極とを含み、同電極は、前記デバイスの近位の媒体の活動を刺激および検知のうちの少なくともいずれか一方をするように構成され、前記媒体は、組織および流体のうちの少なくともいずれか一方を含むことを特徴とする請求項１５に記載のシステム。
【請求項１７】
前記制御部は、動物の皮膚の下に挿入されるように構成されていることを特徴とする請求項１５に記載のシステム。
【請求項１８】
前記装置は、
外骨格と、
義足と、
車いすと、
コンピュータと、
電気的または電気機械的デバイスとのうち少なくとも１つ以上を含むことを特徴とする請求項１５に記載のシステム。
【請求項１９】
前記デバイスと前記制御部との間でデータを送信する通信コンジットをさらに備えることを特徴とする請求項１５に記載のシステム。
【請求項２０】
前記制御部は、デバイス制御信号を生成するとともに前記デバイスが前記媒体を刺激可能なように前記デバイス制御信号を前記デバイスに送信するようにさらに構成されることを特徴とする請求項１５に記載のシステム。
【請求項２１】
前記制御部は、少なくとも２つの部分に形成されたハウジングを含むことを特徴とする請求項１５に記載のシステム。
【請求項２２】
前記ハウジングの前記少なくとも２つの部分は、
磁気的に固定され、
ピンを用いて整列され、
水の浸入を防止するためのガスケットを含むことを特徴とする請求項２１に記載のシステム。
【請求項２３】
内腔を有する管状本体内で使用するための医療デバイスであって、
複数のストラットを形成するフレーム構造であって、同フレーム構造は、低減されたプロファイルと前記フレーム構造の直径が増大する拡張されたプロファイルとの間で移動可能である、フレーム構造と、
同フレーム構造を形成する前記複数のストラットのうちの少なくとも１つが、支持材料上に導電性材料を含み、同導電性材料が前記ストラットの少なくとも一部分に沿って延びるとともに非導電性材料で覆われており、前記複数のストラットは複数の対のストラットを含み、前記複数の対のストラットの各対は隣接するストラットに接続しないＶ字状の頂点を形成し、
前記ストラットの前記Ｖ字状の頂点部分上の前記非導電性材料の開口部によって形成されることで少なくとも一つの電極と前記管状本体との間の並置を強化する、少なくとも１つの電極と、
前記フレーム構造の端部に位置し、前記導電性部分と電気的に通信するように構成されたリード線であって、同リード線は、前記フレーム構造から延びる、リード線とを備えることを特徴とする医療デバイス。
【請求項２４】
前記リード線は前記フレーム構造の遠位端に連結され、前記フレーム構造の近位端から前記フレーム構造の前記遠位端まで延びることを特徴とする請求項２３に記載の医療デバイス。